(57)【特許請求の範囲】
【請求項１】
患者の血液を体外循環可能な動脈側血液回路及び静脈側血液回路を有する血液回路と、
前記動脈側血液回路と静脈側血液回路との間に接続され、当該血液回路を流れる血液を浄化する血液浄化手段と、
前記血液回路に接続されるとともに、プライミング液を流通可能なプライミング液流通ラインと、
前記血液回路にて血液を体外循環させつつ前記血液浄化手段で血液を浄化させて血液浄化治療を行う前、前記プライミング液流通ラインを介して前記血液回路に対してプライミング液を供給又は排出させて当該血液回路のプライミングを行わせる制御手段と、
を具備した血液浄化装置において、
前記制御手段は、前記プライミング終了後であって前記血液浄化治療前に、前記プライミング液流通ライン内のプライミング液を空気と置換させ得ることを特徴とする血液浄化装置。
【請求項２】
前記プライミング液流通ラインは、前記血液回路に形成された気液分離のためのエアトラップチャンバに接続されるとともに、当該エアトラップチャンバに対して空気を供給又は排出させて液面を調整し得る液面調整手段を具備して構成され、前記制御手段は、前記液面調整手段を作動させて空気を供給させることにより前記プライミング液流通ライン内のプライミング液を空気と置換させ得ることを特徴とする請求項１記載の血液浄化装置。
【請求項３】
前記プライミング液流通ラインは、前記血液回路に形成された気液分離のためのエアトラップチャンバに接続されるとともに、前記制御手段は、前記血液浄化装置が具備するポンプ又は電磁弁を動作させることにより前記プライミング液流通ライン内のプライミング液を当該エアトラップチャンバ内に吸入させて空気と置換させ得ることを特徴とする請求項１記載の血液浄化装置。
【請求項４】
前記プライミング液流通ラインは、プライミング時において前記血液回路内からプライミング液を排出させ得るオーバーフローラインから成ることを特徴とする請求項１〜３の何れか１つに記載の血液浄化装置。
【請求項５】
前記プライミング液流通ラインは、プライミング時において前記血液回路内にプライミング液を供給し得るプライミング液供給ラインから成ることを特徴とする請求項１〜３の何れか１つに記載の血液浄化装置。
【請求項６】
患者の血液を体外循環可能な動脈側血液回路及び静脈側血液回路を有する血液回路と、
前記動脈側血液回路と静脈側血液回路との間に接続され、当該血液回路を流れる血液を浄化する血液浄化手段と、
前記血液回路に接続されるとともに、プライミング液を流通可能なプライミング液流通ラインと、
前記血液回路にて血液を体外循環させつつ前記血液浄化手段で血液を浄化させて血液浄化治療を行う前、前記プライミング液流通ラインを介して前記血液回路に対してプライミング液を供給又は排出させて当該血液回路のプライミングを行わせる制御手段と、
を具備した血液浄化装置のプライミング方法において、
前記プライミング終了後であって前記血液浄化治療前に、前記プライミング液流通ライン内のプライミング液を空気と置換させることを特徴とする血液浄化装置のプライミング方法。
【請求項７】
前記プライミング液流通ラインは、前記血液回路に形成された気液分離のためのエアトラップチャンバに接続されるとともに、当該エアトラップチャンバに対して空気を供給又は排出させて液面を調整し得る液面調整手段を具備して構成され、前記液面調整手段を作動させて空気を供給させることにより前記プライミング液流通ライン内のプライミング液を空気と置換させ得ることを特徴とする請求項６記載の血液浄化装置のプライミング方法。
【請求項８】
前記プライミング液流通ラインは、前記血液回路に形成された気液分離のためのエアトラップチャンバに接続されるとともに、前記血液浄化装置が具備するポンプ又は電磁弁を動作させることにより前記プライミング液流通ライン内のプライミング液を当該エアトラップチャンバ内に吸入させて空気と置換させ得ることを特徴とする請求項６記載の血液浄化装置のプライミング方法。
【請求項９】
前記プライミング液流通ラインは、プライミング時において前記血液回路内からプライミング液を排出させ得るオーバーフローラインから成ることを特徴とする請求項６〜８の何れか１つに記載の血液浄化装置のプライミング方法。
【請求項１０】
前記プライミング液流通ラインは、プライミング時において前記血液回路内にプライミング液を供給し得るプライミング液供給ラインから成ることを特徴とする請求項６〜８の何れか１つに記載の血液浄化装置のプライミング方法。
【発明の詳細な説明】
【技術分野】
【０００１】
本発明は、患者の血液を体外循環させつつ浄化するための血液浄化装置及びそのプライミング方法に関するものである。
【背景技術】
【０００２】
従来の血液浄化装置としての透析装置として、例えば特許文献１にて開示されているように、患者の血液を体外循環させる血液回路と、当該血液回路を流れる血液を浄化するダイアライザ等の血液浄化手段と、生理食塩液等のプライミング液を血液回路に供給し得るプライミング液供給手段と、血液回路に接続されたエアトラップチャンバから延設されたオーバーフローラインとを具備し、血液回路にて血液を体外循環させつつダイアライザにて血液浄化治療を行わせるものが提案されている。
【０００３】
かかる従来の透析装置は、透析治療前（血液浄化治療前）、プライミング液を血液回路等に充填させるプライミングが行われている。かかるプライミングは、通常、プライミング液供給手段にて血液回路にプライミング液を供給して充填させるとともに、そのプライミング液をオーバーフローラインにてオーバーフローさせて外部に排出することにより行われていた。
【先行技術文献】
【特許文献】
【０００４】
【特許文献１】特開２０１０−２７３６９３号公報
【発明の概要】
【発明が解決しようとする課題】
【０００５】
上記従来の血液浄化装置においては、プライミング後、血液浄化治療を行うべく血液回路にて血液を体外循環させる際、オーバーフローラインに残留したプライミング液に血液回路を流れる血液が触れて混入してしまう虞があった。その場合、血液浄化治療後において血液回路及びオーバーフローラインを装置本体から取り外す際、血液が混入したプライミング液がオーバーフローラインから吐出して周囲に飛散してしまう虞がある。さらに、上記のような問題は、プライミング液を排出させるオーバーフローラインに限らず、プライミング液を供給するためのプライミング液供給ラインを含むプライミング液流通ラインを有する血液浄化装置において生じる可能性がある。
【０００６】
本発明は、このような事情に鑑みてなされたもので、血液浄化治療後、プライミング液流通ラインから血液が混入したプライミング液が周囲に飛散してしまうのを確実に防止することができる血液浄化装置及びそのプライミング方法を提供することにある。
【課題を解決するための手段】
【０００７】
請求項１記載の発明は、患者の血液を体外循環可能な動脈側血液回路及び静脈側血液回路を有する血液回路と、前記動脈側血液回路と静脈側血液回路との間に接続され、当該血液回路を流れる血液を浄化する血液浄化手段と、前記血液回路に接続されるとともに、プライミング液を流通可能なプライミング液流通ラインと、前記血液回路にて血液を体外循環させつつ前記血液浄化手段で血液を浄化させて血液浄化治療を行う前、前記プライミング液流通ラインを介して前記血液回路に対してプライミング液を供給又は排出させて当該血液回路のプライミングを行わせる制御手段とを具備した血液浄化装置において、前記制御手段は、前記プライミング終了後であって前記血液浄化治療前に、前記プライミング液流通ライン内のプライミング液を空気と置換させ得ることを特徴とする。
【０００８】
請求項２記載の発明は、請求項１記載の血液浄化装置において、前記プライミング液流通ラインは、前記血液回路に形成された気液分離のためのエアトラップチャンバに接続されるとともに、当該エアトラップチャンバに対して空気を供給又は排出させて液面を調整し得る液面調整手段を具備して構成され、前記制御手段は、前記液面調整手段を作動させて空気を供給させることにより前記プライミング液流通ライン内のプライミング液を空気と置換させ得ることを特徴とする。
【０００９】
請求項３記載の発明は、請求項１記載の血液浄化装置において、前記プライミング液流通ラインは、前記血液回路に形成された気液分離のためのエアトラップチャンバに接続されるとともに、前記制御手段は、前記血液浄化装置が具備するポンプ又は電磁弁を動作させることにより前記プライミング液流通ライン内のプライミング液を当該エアトラップチャンバ内に吸入させて空気と置換させ得ることを特徴とする。
【００１０】
請求項４記載の発明は、請求項１〜３の何れか１つに記載の血液浄化装置において、前記プライミング液流通ラインは、プライミング時において前記血液回路内からプライミング液を排出させ得るオーバーフローラインから成ることを特徴とする。
【００１１】
請求項５記載の発明は、請求項１〜３の何れか１つに記載の血液浄化装置において、前記プライミング液流通ラインは、プライミング時において前記血液回路内にプライミング液を供給し得るプライミング液供給ラインから成ることを特徴とする。
【００１２】
請求項６記載の発明は、患者の血液を体外循環可能な動脈側血液回路及び静脈側血液回路を有する血液回路と、前記動脈側血液回路と静脈側血液回路との間に接続され、当該血液回路を流れる血液を浄化する血液浄化手段と、前記血液回路に接続されるとともに、プライミング液を流通可能なプライミング液流通ラインと、前記血液回路にて血液を体外循環させつつ前記血液浄化手段で血液を浄化させて血液浄化治療を行う前、前記プライミング液流通ラインを介して前記血液回路に対してプライミング液を供給又は排出させて当該血液回路のプライミングを行わせる制御手段とを具備した血液浄化装置のプライミング方法において、前記プライミング終了後であって前記血液浄化治療前に、前記プライミング液流通ライン内のプライミング液を空気と置換させることを特徴とする。
【００１３】
請求項７記載の発明は、請求項６記載の血液浄化装置のプライミング方法において、前記プライミング液流通ラインは、前記血液回路に形成された気液分離のためのエアトラップチャンバに接続されるとともに、当該エアトラップチャンバに対して空気を供給又は排出させて液面を調整し得る液面調整手段を具備して構成され、前記液面調整手段を作動させて空気を供給させることにより前記プライミング液流通ライン内のプライミング液を空気と置換させ得ることを特徴とする。
【００１４】
請求項８記載の発明は、請求項６記載の血液浄化装置のプライミング方法において、前記プライミング液流通ラインは、前記血液回路に形成された気液分離のためのエアトラップチャンバに接続されるとともに、前記血液浄化装置が具備するポンプ又は電磁弁を動作させることにより前記プライミング液流通ライン内のプライミング液を当該エアトラップチャンバ内に吸入させて空気と置換させ得ることを特徴とする。
【００１５】
請求項９記載の発明は、請求項６〜８の何れか１つに記載の血液浄化装置のプライミング方法において、前記プライミング液流通ラインは、プライミング時において前記血液回路内からプライミング液を排出させ得るオーバーフローラインから成ることを特徴とする。
【００１６】
請求項１０記載の発明は、請求項６〜８の何れか１つに記載の血液浄化装置のプライミング方法において、前記プライミング液流通ラインは、プライミング時において前記血液回路内にプライミング液を供給し得るプライミング液供給ラインから成ることを特徴とする。
【発明の効果】
【００１７】
請求項１、６の発明によれば、プライミング終了後であって血液浄化治療前に、プライミング液流通ライン内のプライミング液を空気と置換させるので、血液浄化治療後、プライミング液流通ラインから血液が混入したプライミング液が周囲に飛散してしまうのを確実に防止することができる。
【００１８】
請求項２、７の発明によれば、液面調整手段を作動させて空気を供給させることによりプライミング液流通ライン内のプライミング液を空気と置換させ得るので、液面調整手段がエアトラップチャンバの液面調整機能に加え、プライミング液流通ライン内のプライミング液を空気と置換させる機能を兼ねることができる。
【００１９】
請求項３、８の発明によれば、血液浄化装置が具備するポンプ又は電磁弁を動作させることによりプライミング液流通ライン内のプライミング液を当該エアトラップチャンバ内に吸入させて空気と置換させ得るので、プライミング液流通ライン内のプライミング液を外部に排出させることなく空気と置換させることができる。
【００２０】
請求項４、９の発明によれば、プライミング液流通ラインは、プライミング時において血液回路内からプライミング液を排出させ得るオーバーフローラインから成るので、血液浄化治療後、オーバーフローラインから血液が混入したプライミング液が周囲に飛散してしまうのを確実に防止することができる。
【００２１】
請求項５、１０の発明によれば、プライミング液流通ラインは、プライミング時において血液回路内にプライミング液を供給し得るプライミング液供給ラインから成るので、血液浄化治療後、プライミング液供給ラインから血液が混入したプライミング液が周囲に飛散してしまうのを確実に防止することができる。
【図面の簡単な説明】
【００２２】
【図１】本発明の第１の実施形態に係る血液浄化装置を示す模式図
【図２】同血液浄化装置の制御内容を示すフローチャート
【図３】同血液浄化装置におけるプライミング液と空気との置換工程中の状態を示す模式図
【図４】同血液浄化装置におけるプライミング液と空気との置換工程後の状態を示す模式図
【図５】本発明の第２の実施形態に係る血液浄化装置を示す模式図
【図６】同血液浄化装置の制御内容を示すフローチャート
【図７】同血液浄化装置におけるプライミング液と空気との置換工程（陰圧の形成）中の状態を示す模式図
【図８】同血液浄化装置におけるプライミング液と空気との置換工程中の状態を示す模式図
【図９】他の形態の血液浄化装置におけるプライミング液と空気との置換工程中の状態を示す模式図
【図１０】本発明の第３の実施形態に係る血液浄化装置を示す模式図
【図１１】同血液浄化装置の制御内容を示すフローチャート
【図１２】同血液浄化装置に係るプライミング液供給ラインおけるプライミング液と空気との置換工程中の状態を示す模式図
【図１３】同血液浄化装置に係るオーバーフローラインにおけるプライミング液と空気との置換工程中の状態を示す模式図
【図１４】同血液浄化装置に係るオーバーフローラインにおけるプライミング液と空気との置換工程中の状態を示す模式図
【発明を実施するための形態】
【００２３】
以下、本発明の実施形態について図面を参照しながら具体的に説明する。
第１の実施形態に係る血液浄化装置は、患者の血液を体外循環させつつ浄化し得る血液浄化治療（血液透析治療）で使用されるもので、図１に示すように、患者の血液を体外循環可能な動脈側血液回路２及び静脈側血液回路３を有する血液回路と、動脈側血液回路２と静脈側血液回路３との間に接続され、当該血液回路を流れる血液を浄化するダイアライザ１（血液浄化手段）と、透析装置本体Ｂ内に配設された透析液導入ラインＬ１及び透析液排出ラインＬ２を含む配管部と、制御手段１８とを具備して構成されている。
【００２４】
ダイアライザ１は、血液を浄化するためのもので、ポート１ａ、１ｂを介して血液回路を構成する動脈側血液回路２及び静脈側血液回路３とそれぞれ接続されるとともに、ポート１ｃ、１ｄを介して透析液導入ラインＬ１及び透析液排出ラインＬ２とそれぞれ接続されている。動脈側血液回路２には、しごき型ポンプから成る血液ポンプ４が配設されており、かかる血液ポンプ４を駆動させることにより、血液回路にて透析液等の液体を送液させ得るようになっている。
【００２５】
動脈側血液回路２には、気液分離のための動脈側エアトラップチャンバ５が形成されるとともに、静脈側血液回路３には、気液分離のための静脈側エアトラップチャンバ６が形成されており、これら動脈側エアトラップチャンバ５及び静脈側エアトラップチャンバ６にて血液回路を流れる液体中の気泡を除去し得るようになっている。なお、本実施形態に係る動脈側血液回路２の先端部及び静脈側血液回路３の先端部には、血液浄化治療中、動脈側血液回路２又は静脈側血液回路３を流れる血液中の気泡を検出し得る気泡検出器（Ｄ１、Ｄ２）が接続されている。
【００２６】
また、動脈側血液回路２の先端及び静脈側血液回路３の先端には、それぞれ動脈側穿刺針及び静脈側穿刺針が取り付け可能なコネクタが形成されており、これらコネクタ同士を接続して閉回路を形成してプライミングが行われるとともに、プライミング後、コネクタに動脈側穿刺針及び静脈側穿刺針を取り付けて患者に穿刺させ、血液ポンプ４を駆動させることにより、動脈側穿刺針から採取された患者の血液を血液回路にて体外循環させ、ダイアライザ１にて血液浄化及び除水した後、静脈側穿刺針から患者に戻すようになっている。
【００２７】
さらに、動脈側血液回路２には、先端側（プライミング液供給ラインＬａが接続された部位より上流（先端）側）にクランプ手段Ｖａが配設されるとともに、静脈側血液回路３には、先端側（静脈側エアトラップチャンバ６が形成された部位より下流（先端）側）にクランプ手段Ｖｂが配設されている。動脈側エアトラップチャンバ５には、血液回路におけるダイアライザ１の入口側液圧を検出し得るセンサが接続されるとともに、静脈側エアトラップチャンバ６には、治療時における血液回路内の静脈圧を検出し得るセンサが接続されている。
【００２８】
またさらに、透析液導入ラインＬ１及び透析液排出ラインＬ２には、所定濃度に調製された透析液をダイアライザ１に供給し、当該ダイアライザ１からの排液を排出させる送液ポンプとしての複式ポンプ７が接続されている。すなわち、透析液導入ラインＬ１及び透析液排出ラインＬ２に跨って複式ポンプ７が配設されており、かかる複式ポンプ７を駆動させることにより、ダイアライザ１に対して透析液導入ラインＬ１にて透析液を導入及び透析液排出ラインＬ２にて透析液（排液）を排出させ得るよう構成されているのである。
【００２９】
また、透析液導入ラインＬ１には、フィルタ１１、１２が接続されており、ダイアライザ１に導入する透析液をフィルタ１１、１２にて濾過し得るとともに、電磁弁Ｖ１、Ｖ７、Ｖ８にて任意タイミングで流路を遮断又は開放可能とされている。なお、透析液導入ラインＬ１は、バイパスラインＬ７、Ｌ８、Ｌ９にて透析液排出ラインＬ２と接続されており、これらバイパスラインＬ７、Ｌ８、Ｌ９には、電磁弁Ｖ３、Ｖ４、Ｖ１２がそれぞれ接続されている。さらに、透析液導入ラインＬ１には、当該透析液導入ラインＬ１を流れる透析液を採取可能な採取口１０（サンプルポート）が接続されている。
【００３０】
透析液排出ラインＬ２は、電磁弁Ｖ２、Ｖ９にて任意タイミングで流路を遮断又は開放可能とされているとともに、複式ポンプ７を迂回する迂回ラインＬ３、Ｌ４が接続されており、迂回ラインＬ３には除水ポンプ８が接続されている。なお、迂回ラインＬ４には、電磁弁Ｖ５が接続されている。これにより、血液回路にて患者の血液を体外循環させる過程で除水ポンプ８を駆動させることにより、ダイアライザ１を流れる血液から水分を取り除いて除水し得るようになっている。
【００３１】
さらに、透析液排出ラインＬ２における複式ポンプ７より上流側（図中左側）には、当該複式ポンプ７における透析液排出ラインＬ２の液圧調整を行う加圧ポンプ９が接続されており、当該加圧ポンプ９と複式ポンプ７との間からは、脱ガスチャンバ１３を介して迂回ラインＬ５が延設されている。かかる脱ガスチャンバ１３は、複式ポンプ７より上流側の透析液排出ラインＬ２を流れる透析液中の気泡を捕捉し、複式ポンプ７を迂回して迂回ラインＬ５から外部へ排出させるためのものである。
【００３２】
この迂回ラインＬ５には、電磁弁Ｖ６が接続されており、その電磁弁Ｖ６より上流側（脱ガスチャンバ１３と電磁弁Ｖ６との間）とバイパスラインＬ９との間には、これらの流路を連通する分岐ラインＬ６が接続されている。かかる分岐ラインＬ６は、透析液排出ラインＬ２から分岐した迂回ラインＬ５の更なる分岐ラインから成るとともに、電磁弁Ｖ１０及び電磁弁Ｖ１１が接続されており、当該電磁弁Ｖ１０と電磁弁Ｖ１１との間には、オーバーフローラインＬｂの一端を接続可能な接続ポート１４が取り付けられている。
【００３３】
本実施形態に係る電磁弁Ｖ１０は、接続ポート１４と除水ポンプ８との間の流路に配設されるとともに、電磁弁Ｖ１１は、接続ポート１４を挟んで電磁弁Ｖ１０とは反対側の流路に配設されている。そして、静脈側エアトラップチャンバ６の上部から延設されたオーバーフローラインＬｂの先端を接続ポート１４に接続することにより、血液回路内に供給されたプライミング液を透析液排出ラインＬ２まで流動させ得るようになっている。なお、図中符号１５は、分岐ラインＬ６に取り付けられたフィルタ１５を示しており、このフィルタ１５によって血液回路内から流動させた液体に含まれる異物を捕捉し得るようになっている。
【００３４】
オーバーフローラインＬｂは、オーバーフロークランプＶｄ（クランプ手段）によって流路が開閉可能とされるとともに、一端が静脈側エアトラップチャンバ６の上部及び他端が接続ポート１４に接続されている。そして、プライミング時、オーバーフロークランプＶｄを開状態とすることにより、血液回路内に供給されたプライミング液を透析液排出ラインＬ２に流動させ、そこから外部に排出させ得るようになっている。
【００３５】
透析装置本体Ｂは、ダイアライザ１に透析液を導入する透析液導入ラインＬ１及び当該ダイアライザ１から透析液を排出する透析液排出ラインＬ２を含む配管部と、制御手段１８とを有している。本発明に係る配管部は、透析液導入ラインＬ１及び透析液排出ラインＬ２の他、これら透析液導入ラインＬ１及び透析液排出ラインＬ２から分岐した迂回ライン（Ｌ３、Ｌ４、Ｌ５）、分岐ラインＬ６及びバイパスライン（Ｌ７、Ｌ８、Ｌ９）等を含み、透析液等を流通させ得るものである。
【００３６】
一方、透析液導入ラインＬ１の途中に形成された採取口１０には、プライミング液供給ラインＬａの一端が接続されている。かかるプライミング液供給ラインＬａは、クランプ手段Ｖｃによって流路が開閉可能とされるとともに、一端が採取口１０及び他端が動脈側血液回路２（クランプ手段Ｖａと血液ポンプ４との間の部位）にそれぞれ接続されている。そして、プライミング時、クランプ手段Ｖａを開状態とすることにより、血液導入ラインＬ１中の透析液をプライミング液として血液回路内に供給し得るようになっている。
【００３７】
また、プライミング液供給ラインＬａの途中からは、補液ラインＬｃが分岐して延設されている。かかる補液ラインＬｃは、しごき型ポンプから成る補液ポンプ１６が配設されるとともに、一端がプライミング液供給ラインＬａ及び他端が動脈側エアトラップチャンバ５の上部にそれぞれ接続されている。そして、補液ポンプ１６を駆動させることにより、透析液導入ラインＬ１中の透析液を補液として血液回路内に供給し得るようになっている。なお、補液ポンプ１６が停止した状態においては、その補液ポンプ１６が具備するローラにて補液ラインＬｃの流路が閉止されるようになっている。
【００３８】
さらに、本実施形態においては、動脈側エアトラップチャンバ５及び静脈側エアトラップチャンバ６の液面を調整し得る液面調整手段１７を具備している。この液面調整手段１７は、静脈側エアトラップチャンバ６の上部（空気層）から延設された延設チューブＬ１０と、動脈側エアトラップチャンバ５の上部（空気層）から延設された延設チューブＬ１１と、延設チューブＬ１０及びＬ１１に接続された接続チューブＬ１２と、一端が接続チューブＬ１２に接続されるとともに他端が大気開放された開放チューブＬ１３と、開放チューブＬ１３に配設された液面調整ポンプ１７ａとを有して構成されている。なお、接続チューブＬ１２には、延設チューブＬ１０側を開閉する電磁弁Ｖｅ及び延設チューブＬ１１側を開閉する電磁弁Ｖｆがそれぞれ取り付けられている。
【００３９】
液面調整ポンプ１７ａは、正回転駆動及び逆回転駆動可能なしごき型ポンプから成るもので、開放チューブＬ１３をその長手方向に向かってしごくことで、動脈側エアトラップチャンバ５の上部又は静脈側エアトラップチャンバ６の上部に対する空気の導入又は排出を任意に行い得るよう構成されている。しかして、液面調整ポンプ１７ａを正回転駆動（図中時計回りの駆動）させると、開放チューブＬ１３の先端から空気が吸引されるので、電磁弁Ｖｅが開状態のとき、延設チューブＬ１０を介して静脈側エアトラップチャンバ６に空気が導入されて液面を下降させることができるとともに、液面調整ポンプ１７ａを逆回転駆動（図中反時計回りの駆動）させると、開放チューブＬ１３の先端から空気が排出されるので、電磁弁Ｖｅが開状態のとき、延設チューブＬ１０を介して静脈側エアトラップチャンバ６から空気が排出されて液面を上昇させることができる。
【００４０】
同様に、液面調整ポンプ１７ａを正回転駆動させると、開放チューブＬ１３の先端から空気が吸引されるので、電磁弁Ｖｆが開状態のとき、延設チューブＬ１１を介して動脈側エアトラップチャンバ５に空気が導入されて液面を下降させることができるとともに、液面調整ポンプ１７ａを逆回転駆動させると、開放チューブＬ１３の先端から空気が排出されるので、電磁弁Ｖｆが開状態のとき、延設チューブＬ１１を介して動脈側エアトラップチャンバ５から空気が排出されて液面を上昇させることができる。
【００４１】
制御手段１８は、透析装置本体Ｂに配設されたマイコン等から成り、血液回路にて血液を体外循環させつつダイアライザ１（血液浄化手段）で血液を浄化させて血液浄化治療を行う前、プライミング液供給ラインＬａを介して血液回路に対してプライミング液を供給するとともに、オーバーフローラインＬｂを介して血液回路に対してプライミング液を排出させて当該血液回路のプライミングを行わせるものである。
【００４２】
すなわち、動脈側血液回路２の先端のコネクタと静脈側血液回路３の先端のコネクタとを互いに接続して閉回路を形成した後、制御手段１８による制御によって、プライミング時、クランプ手段Ｖｃを開状態として透析液導入ラインＬ１の透析液をプライミング液として血液回路に供給し充填させるとともに、オーバーフロークランプＶｄを開状態として、血液回路内のプライミング液をオーバーフローラインＬｂにオーバーフローさせ、接続ポートを介して透析液排出ラインＬ２に排出するよう構成されているのである。
【００４３】
そして、透析液導入ラインＬ１から透析液排出ラインＬ２に透析液を流動させることにより、ダイアライザ１における透析液流路に透析液を充填させることにより、所謂ガスパージが行われることとなる。これにより、プライミングが終了するので、動脈側血液回路２の先端及び静脈側血液回路３の先端の接続を解除して、それぞれに穿刺針を取り付けて患者に穿刺し、血液回路にて患者の血液を体外循環させることによりダイアライザ１による血液浄化治療が行われることとなる。
【００４４】
ここで、本実施形態に係る制御手段１８は、プライミング終了後であって血液浄化治療前に、オーバーフローラインＬｂ（プライミング液流通ライン）内のプライミング液（本実施形態においてはオーバーフローラインＬｂに残留したプライミング液としての透析液）を空気と置換させ得るよう構成されている。具体的には、本実施形態に係る制御手段１８は、液面調整手段１７を作動（すなわち、液面調整ポンプ１７ａを駆動）させて静脈側エアトラップチャンバ６内に空気を供給させることによりオーバーフローラインＬｂ内のプライミング液を空気と置換させ得るようになっている。
【００４５】
例えば、プライミングが終了して血液回路にプライミング液が充填された状態において、図３に示すように、オーバーフロークランプＶｄ及び電磁弁Ｖｅを開状態及びクランプ手段Ｖｂ及び電磁弁Ｖｆを閉状態としつつ液面調整ポンプ１７ａを正回転駆動（図中時計回りの駆動）させることにより、静脈側エアトラップチャンバ６に空気が導入されるので、その空気がオーバーフローラインＬｂ内のプライミング液を透析液排出ラインＬ２に押し出すことにより、当該オーバーフローラインＬｂ内がプライミング液から空気に置換されることとなる。
【００４６】
以下、第１の実施形態に係る制御手段１８による具体的制御について、図２のフローチャートを用いて説明する。
先ず、Ｓ１にて血液回路のプライミング及びダイアライザ１のガスパージが終了したか否か判定され、プライミングが終了したと判定されると、Ｓ２以降の工程に進む。このとき、動脈側血液回路２の先端及び静脈側血液回路３の先端は、互いに接続されて閉回路が形成されている（すなわち、プライミングの状態が維持されている）とともに、血液回路及びオーバーフローラインＬｂには、プライミング液としての透析液が充填されている。
【００４７】
そして、Ｓ１にてプライミングが終了したと判定されると、図３に示すように、オーバーフロークランプＶｄを開状態とする（Ｓ２）。このとき、同図に示すように、血液回路側のクランプ手段（Ｖｂ、Ｖｃ、Ｖｆ）は閉状態及びクランプ手段Ｖｅは開状態（クランプ手段Ｖａは開閉何れの状態でもよい）とされており、配管側の電磁弁（Ｖ１、Ｖ２、Ｖ４〜Ｖ６、Ｖ１０、Ｖ１２）は閉状態及び電磁弁（Ｖ３、Ｖ７〜Ｖ９、Ｖ１１）は開状態とされている。なお、電磁弁（Ｖ３、Ｖ７、Ｖ８）は、複式ポンプ７が駆動している場合は、上記のように開状態とされているが、複式ポンプ７が停止している場合は、開閉何れの状態でもよい。
【００４８】
その後、Ｓ３に進み、液面調整手段１７を作動させて液面調整ポンプ１７ａを正回転駆動させることによって、静脈側エアトラップチャンバ６内に空気を供給し、オーバーフローラインＬｂ内のプライミング液を透析液排出ラインＬ２に流動させつつ空気と置換させる。そして、Ｓ４にて液面調整ポンプ１７ａの駆動開始から規定時間経過したか、或いは液面調整ポンプ１７ａの駆動開始から空気が規定量送り出されたか否かを判定し、規定時間又は規定量駆動したと判定されると、オーバーフローラインＬｂ内のプライミング液が全て空気に置換されたと推定し、図４に示すように、液面調整ポンプ１７ａを停止させる（Ｓ５）とともに、オーバーフロークランプＶｄを閉状態とする（Ｓ６）。
【００４９】
以上で、一連のプライミン終了後の工程であって血液浄化治療前の工程が終了する。これにより、プライミング終了後であって血液浄化治療前に、オーバーフローラインＬｂ（プライミング液流通ライン）内のプライミング液を空気と置換させるので、血液浄化治療時に血液回路内で血液が体外循環してもオーバーフローラインＬｂに残留したプライミング液に血液が触れて混入してしまうのを防止することができる。したがって、血液浄化治療後、オーバーフローラインＬｂ（プライミング液流通ライン）から血液が混入したプライミング液が周囲に飛散してしまうのを確実に防止することができる。
【００５０】
また、本実施形態によれば、液面調整手段１７を作動させて空気を供給させることによりオーバーフローラインＬｂ（プライミング液流通ライン）内のプライミング液を空気と置換させ得るので、液面調整手段１７が静脈側エアトラップチャンバ６の液面調整機能に加え、オーバーフローラインＬｂ（プライミング液流通ライン）内のプライミング液を空気と置換させる機能を兼ねることができる。特に、適用されるプライミング液流通ラインは、プライミング時において血液回路内からプライミング液を排出させ得るオーバーフローラインＬｂから成るので、血液浄化治療後、オーバーフローラインＬｂから血液が混入したプライミング液が周囲に飛散してしまうのを確実に防止することができる。
【００５１】
次に、本発明の第２の実施形態に係る血液浄化装置について説明する。
本実施形態に係る血液浄化装置は、第１の実施形態と同様、患者の血液を体外循環させつつ浄化し得る血液浄化治療（血液透析治療）で使用されるもので、図５に示すように、患者の血液を体外循環可能な動脈側血液回路２及び静脈側血液回路３を有する血液回路と、動脈側血液回路２と静脈側血液回路３との間に接続され、当該血液回路を流れる血液を浄化するダイアライザ１（血液浄化手段）と、透析装置本体Ｂ内に配設された透析液導入ラインＬ１及び透析液排出ラインＬ２を含む配管部と、制御手段１８とを具備して構成されている。なお、第１の実施形態と同様の構成要素には同一の符号を付し、それらの詳細な説明を省略する。
【００５２】
本実施形態に係るオーバーフローラインＬｂは、静脈側エアトラップチャンバ６の上部から延設されるとともに、その先端が排液手段１９（余液受け）の上方の位置で開口して固定されている。かかる排液手段１９は、上方に開口した液体の受け部１９ａを有するとともに、その受け部１９ａで受けた液体を流出させて外部に排出し得る排出チューブ１９ｂを有して構成されている。
【００５３】
なお、オーバーフローラインＬｂの先端は、受け部１９ａの上方で開口されているため、大気開放となっており、静脈側エアトラップチャンバ６内の液体を受け部１９ａに吐出させることができるとともに、外気を吸い込むことが可能とされている。また、排出チューブ１９ｂの先端は、プライミング液を排出させ得る部位或いは場所であれば何れでもよく、例えば透析液排出ラインＬ２に接続するようにしてもよい。なお、オーバーフローラインＬｂの先端をバケツなどの容器の上方にて開口させ、当該容器に液体を吐出するようにしてもよい。
【００５４】
ここで、本実施形態に係る制御手段１８は、プライミング終了後であって血液浄化治療前に、オーバーフローラインＬｂ（プライミング液流通ライン）内のプライミング液（本実施形態においてはオーバーフローラインＬｂに残留したプライミング液としての透析液）を空気と置換させ得るよう構成されている。具体的には、本実施形態に係る制御手段１８は、本血液浄化装置が具備するポンプ又は電磁弁を動作させることにより、静脈側エアトラップチャンバ６内を陰圧にして、オーバーフローラインＬｂ内のプライミング液を当該静脈側エアトラップチャンバ６内に吸入させて空気と置換させ得るようになっている。
【００５５】
例えば、プライミングが終了して血液回路にプライミング液が充填された状態において、図７に示すように、オーバーフロークランプＶｄ及びクランプ手段Ｖｂを閉状態（液面調整手段１７の電磁弁（Ｖｅ、Ｖｆ）は閉状態）としつつ除水ポンプ８を駆動させることにより、ダイアライザ１の透析液流路内を陰圧とする。これにより、ダイアライザ１の濾過膜（中空糸膜）を介して血液回路内、特に静脈側エアトラップチャンバ６内を陰圧とすることができ、オーバーフローラインＬｂ内のプライミング液が静脈側エアトラップチャンバ６内に流入しつつ先端の開口から空気が導入されるので、当該オーバーフローラインＬｂ内がプライミング液から空気に置換されることとなる。
【００５６】
なお、本実施形態においては、装置が具備するポンプ又は電磁弁を動作させることにより、静脈側エアトラップチャンバ６内を陰圧にして、オーバーフローラインＬｂ内のプライミング液を当該静脈側エアトラップチャンバ６内に吸入させて空気と置換させているが、血液浄化装置が具備するポンプ又は電磁弁を動作させてオーバーフローラインＬｂ内のプライミング液を静脈側エアトラップチャンバ６内に吸入させて空気と置換させれば、静脈側エアトラップチャンバ６内に陰圧を形成しなくてもよい。
【００５７】
以下、第２の実施形態に係る制御手段１８による具体的制御について、図６のフローチャートを用いて説明する。
先ず、Ｓ１にて血液回路のプライミング及びダイアライザ１のガスパージが終了したか否か判定され、プライミングが終了したと判定されると、Ｓ２以降の工程に進む。このとき、動脈側血液回路２の先端及び静脈側血液回路３の先端は、互いに接続されて閉回路が形成されている（すなわち、プライミングの状態が維持されている）とともに、血液回路及びオーバーフローラインＬｂには、プライミング液としての透析液が充填されている。
【００５８】
そして、Ｓ１にてプライミングが終了したと判定されると、図７に示すように、制御手段１８による制御によって、配管部の除水ポンプ８を駆動させて陰圧を形成する（Ｓ２）。このとき、同図に示すように、血液回路側のクランプ手段（Ｖｂ、Ｖｃ、Ｖｅ、Ｖｆ）、オーバーフロークランプＶｄは閉状態（クランプ手段Ｖａは開閉何れの状態でもよい）とされており、配管側の電磁弁（Ｖ１、Ｖ４〜Ｖ６、Ｖ１２）は閉状態及び電磁弁（Ｖ２、Ｖ３、Ｖ７〜Ｖ９）は開状態とされている。なお、電磁弁（Ｖ３、Ｖ７、Ｖ８）は、複式ポンプ７が駆動している場合は、上記のように開状態とされているが、複式ポンプ７が停止している場合は、開閉何れの状態でもよい。また、配管側の電磁弁Ｖ５を開状態とすることにより高低差（ヘッド差）で圧力が生じる場合、その高低差による圧力にて陰圧を形成するようにしてもよい。
【００５９】
さらに、加圧ポンプ９についても駆動又は停止の何れであってもよく、図９に示すように、除水ポンプ８に代えて加圧ポンプ９を駆動させて陰圧を形成することもできる。この場合、同図に示すように、血液回路側のクランプ手段（Ｖｂ、Ｖｃ、Ｖｅ、Ｖｆ）、オーバーフロークランプＶｄは閉状態（クランプ手段Ｖａは開閉何れの状態でもよい）とされており、配管側の電磁弁（Ｖ１、Ｖ４、Ｖ５、Ｖ１２）は閉状態及び電磁弁（Ｖ２、Ｖ３、Ｖ６〜Ｖ９）は開状態とされている。なお、電磁弁（Ｖ３、Ｖ７、Ｖ８）は、複式ポンプ７が駆動している場合は、上記のように開状態とされているが、複式ポンプ７が停止している場合は、開閉何れの状態でもよい。
【００６０】
そして、Ｓ３に進み、除水ポンプ８（又は加圧ポンプ９）の駆動開始から規定量の流量に達しているか、或いは除水ポンプ８（又は加圧ポンプ９）の駆動開始から規定圧に達したか否かを判定し、規定量又は規定圧に達したと判定されると、除水ポンプ（又は加圧ポンプ９）を停止させて陰圧形成を停止する（Ｓ４）。その後、図８に示すように、オーバーフロークランプＶｄを開状態とするとともに（Ｓ５）、その開状態から規定時間経過したか否か判定し、規定時間経過したと判定されると、オーバーフローラインＬｂ内のプライミング液が全て空気に置換されたと推定し、オーバーフロークランプＶｄを閉状態とする（Ｓ７）。なお、本実施形態においては、予め陰圧を形成した後、オーバーフロークランプＶｄを開状態としているが、陰圧の形成とオーバーフロークランプＶｄを開状態とするタイミングを同時に行うようにしてもよい。
【００６１】
以上で、一連のプライミン終了後の工程であって血液浄化治療前の工程が終了する。これにより、プライミング終了後であって血液浄化治療前に、オーバーフローラインＬｂ（プライミング液流通ライン）内のプライミング液を空気と置換させるので、血液浄化治療時に血液回路内で血液が体外循環してもオーバーフローラインＬｂに残留したプライミング液に血液が触れて混入してしまうのを防止することができる。したがって、血液浄化治療後、オーバーフローラインＬｂ（プライミング液流通ライン）から血液が混入したプライミング液が周囲に飛散してしまうのを確実に防止することができる。
【００６２】
また、本実施形態によれば、血液浄化装置が具備するポンプ又は電磁弁を動作させることにより、オーバーフローラインＬｂ（プライミング液流通ライン）内のプライミング液を当該静脈側エアトラップチャンバ６内に吸入させて空気と置換させ得るので、オーバーフローラインＬｂ（プライミング液流通ライン）内のプライミング液を外部に排出させることなく空気と置換させることができる。特に、適用されるプライミング液流通ラインは、プライミング時において血液回路内からプライミング液を排出させ得るオーバーフローラインＬｂから成るので、血液浄化治療後、オーバーフローラインＬｂから血液が混入したプライミング液が周囲に飛散してしまうのを確実に防止することができる。
【００６３】
次に、本発明の第３の実施形態に係る血液浄化装置について説明する。
本実施形態に係る血液浄化装置は、第１、２の実施形態と同様、患者の血液を体外循環させつつ浄化し得る血液浄化治療（血液透析治療）で使用されるもので、図１０に示すように、患者の血液を体外循環可能な動脈側血液回路２及び静脈側血液回路３を有する血液回路と、動脈側血液回路２と静脈側血液回路３との間に接続され、当該血液回路を流れる血液を浄化するダイアライザ１（血液浄化手段）と、透析装置本体Ｂ内に配設された透析液導入ラインＬ１及び透析液排出ラインＬ２を含む配管部と、制御手段１８とを具備して構成されている。なお、第１、２の実施形態と同様の構成要素には同一の符号を付し、それらの詳細な説明を省略する。
【００６４】
本実施形態に係るプライミング液供給ラインＬｄは、動脈側エアトラップチャンバ５の上部から延設されるとともに、その先端が透析液導入ラインＬ１における採取口１０に接続され、その途中に第１の実施形態及び第２の実施形態と同様のしごき型の補液ポンプ１６が配設されている。そして、補液ポンプ１６を駆動させると、透析液導入ラインＬ１の透析液がプライミング液として血液回路に導入されることにより、血液浄化治療前のプライミングが可能とされている。なお、本実施形態においては、プライミング液供給ラインＬｄ及びオーバーフローラインＬｂの両方が本発明の「プライミング液流通ライン」を構成している。
【００６５】
ここで、本実施形態に係る制御手段１８は、プライミング終了後であって血液浄化治療前に、プライミング液供給ラインＬｄ及びオーバーフローラインＬｂ（プライミング液流通ライン）内のプライミング液（本実施形態においてはプライミング液供給ラインＬｄ及びオーバーフローラインＬｂに残留したプライミング液としての透析液）を空気と置換させ得るよう構成されている。具体的には、本実施形態に係る制御手段１８は、補液ポンプ１６を駆動させて動脈側エアトラップチャンバ５内に空気を供給させることによりプライミング液供給ラインＬｄ内のプライミング液を空気と置換させ得るようになっている。
【００６６】
例えば、プライミングが終了して血液回路にプライミング液が充填された状態において、図１３に示すように、プライミング液供給ラインＬｄの先端を採取口１０から取り外して大気開放としつつ補液ポンプ１６を駆動させることにより、プライミング液供給ラインＬｄの先端から吸い込まれた空気がプライミング液を動脈側エアトラップチャンバ５内に押し出し、当該オーバーフローラインＬｂ内がプライミング液から空気に置換されることとなる。
【００６７】
以下、第３の実施形態に係る制御手段１８による具体的制御について、図１１のフローチャートを用いて説明する。
先ず、Ｓ１にて血液回路のプライミング及びダイアライザ１のガスパージが終了したか否か判定され、プライミングが終了したと判定されると、Ｓ２以降の工程に進む。このとき、動脈側血液回路２の先端及び静脈側血液回路３の先端は、互いに接続されて閉回路が形成されている（すなわち、プライミングの状態が維持されている）とともに、血液回路、プライミング液供給ラインＬｄ及びオーバーフローラインＬｂには、プライミング液としての透析液が充填されている。
【００６８】
そして、Ｓ１にてプライミングが終了したと判定されると、図１２に示すように、プライミング液供給ラインＬｄの先端を採取口１０から取り外して大気開放とする（Ｓ２）とともに、オーバーフロークランプＶｄを開状態とする（Ｓ３）。このとき、同図に示すように、血液回路側のクランプ手段（Ｖｂ、Ｖｅ、Ｖｆ）は閉状態（クランプ手段Ｖａは開閉何れの状態でもよい）とされており、配管側の電磁弁（Ｖ１、Ｖ２、Ｖ４〜Ｖ６、Ｖ１２）は閉状態及び電磁弁（Ｖ３、Ｖ７〜Ｖ９）は開状態とされている。なお、電磁弁（Ｖ３、Ｖ７、Ｖ８）は、複式ポンプ７が駆動している場合は、上記のように開状態とされているが、複式ポンプ７が停止している場合は、開閉何れの状態でもよい。
【００６９】
その後、Ｓ４に進み、補液ポンプ１６を駆動させることによって、プライミング液供給ラインＬｄの先端から空気を吸い込み、プライミング液供給ラインＬｄ内のプライミング液を動脈側エアトラップチャンバ５内に流動させつつ空気と置換させる。そして、Ｓ５にて補液ポンプ１６の駆動開始から規定時間経過したか、或いは補液ポンプ１６の駆動開始からプライミング液が規定量送り出されたか否かを判定し、規定時間又は規定量駆動したと判定されると、プライミング液供給ラインＬｄ内のプライミング液が全て空気に置換されたと推定し、補液ポンプ１６を停止させる（Ｓ６）とともに、オーバーフロークランプＶｄを閉状態とする（Ｓ７）。
【００７０】
続いて、Ｓ８に進み、図１３に示すように、制御手段１８による制御によって、配管部の除水ポンプ８を駆動させて陰圧を形成する（Ｓ８）。このとき、同図に示すように、血液回路側のクランプ手段（Ｖｂ、Ｖｅ、Ｖｆ）、オーバーフロークランプＶｄは閉状態（クランプ手段Ｖａは開閉何れの状態でもよい）とされており、配管側の電磁弁（Ｖ１、Ｖ４〜Ｖ６、Ｖ１２）は閉状態及び電磁弁（Ｖ２、Ｖ３、Ｖ７〜Ｖ９）は開状態とされている。なお、電磁弁（Ｖ３、Ｖ７、Ｖ８）は、複式ポンプ７が駆動している場合は、上記のように開状態とされているが、複式ポンプ７が停止している場合は、開閉何れの状態でもよい。また、配管側の電磁弁Ｖ５を開状態とすることにより高低差（ヘッド差）で圧力が生じる場合、その高低差による圧力にて陰圧を形成するようにしてもよい。
【００７１】
そして、Ｓ９に進み、電磁弁Ｖ５を開状態とした時点から透析液排出ラインＬ２の透析液が規定量の流量に達しているか、或いは電磁弁Ｖ５を開状態とした時点から規定圧に達したか否かを判定し、規定量又は規定圧に達したと判定されると、電磁弁Ｖ５を閉状態として陰圧形成を停止する（Ｓ１０）。その後、図１４に示すように、オーバーフロークランプＶｄを開状態とするとともに（Ｓ１１）、その開状態から規定時間経過したか否か判定し（Ｓ１２）、規定時間経過したと判定されると、オーバーフローラインＬｂ内のプライミング液が全て空気に置換されたと推定し、オーバーフロークランプＶｄを閉状態とする（Ｓ１３）。
【００７２】
以上で、一連のプライミン終了後の工程であって血液浄化治療前の工程が終了する。これにより、プライミング終了後であって血液浄化治療前に、プライミング液供給ラインＬｄ及びオーバーフローラインＬｂ（プライミング液流通ライン）内のプライミング液を空気と置換させるので、血液浄化治療時に血液回路内で血液が体外循環してもオーバーフローラインＬｂに残留したプライミング液に血液が触れて混入してしまうのを防止することができる。したがって、血液浄化治療後、プライミング液供給ラインＬｄ及びオーバーフローラインＬｂ（プライミング液流通ライン）から血液が混入したプライミング液が周囲に飛散してしまうのを確実に防止することができる。
【００７３】
また、本実施形態によれば、補液ポンプ１６を駆動させて空気を供給させることによりプライミング液供給ラインＬｄ（プライミング液流通ライン）内のプライミング液を空気と置換させ得るので、補液ポンプ１６がプライミング液の供給機能に加え、プライミング液供給ラインＬｄ（プライミング液流通ライン）内のプライミング液を空気と置換させる機能を兼ねることができる。特に、適用されるプライミング液流通ラインは、プライミング時において血液回路内にプライミング液を供給し得るプライミング液供給ラインＬｄから成るので、血液浄化治療後、プライミング液供給ラインＬｄから血液が混入したプライミング液が周囲に飛散してしまうのを確実に防止することができる。
【００７４】
以上、本実施形態について説明したが、本発明はこれらに限定されるものではなく、例えばプライミング時に供給されるプライミング液は、透析液に限らず、生理食塩液や他の電解液等であってもよい。また、第１、２の実施形態においては、プライミング終了後であって血液浄化治療前に、オーバーフローラインＬｂ内のプライミング液を空気と置換させ得るものとされているが、プライミング液供給ラインＬａ内のプライミング液を空気と置換させ得るものとしてもよい。
【００７５】
さらに、プライミング液流通ライン内のプライミング液を空気と置換させる方法については、上記実施形態に限定されず、プライミング終了後であって血液浄化治療前にプライミング液と空気とを置換させる種々の形態に適用することができる。なお、本実施形態が適用される血液浄化装置は、何れの形態のものであってもよく、例えば、複式ポンプ７に代えてチャンバにて透析液を導入又は排出させるもの、ダイアライザ１に代えて他の形態の血液浄化器を具備したもの等としてもよい。
【産業上の利用可能性】
【００７６】
プライミング終了後であって血液浄化治療前に、プライミング液流通ライン内のプライミング液を空気と置換させ得る血液浄化装置及びそのプライミング方法であれば、装置の外観形状が異なるもの、或いは他の機能が付加されたもの等にも、本発明を適用することができる。
【符号の説明】
【００７７】
１  ダイアライザ（血液浄化手段）
２  動脈側血液回路
３  静脈側血液回路
４  血液ポンプ
５  動脈側エアトラップチャンバ
６  静脈側エアトラップチャンバ
７  複式ポンプ
８  除水ポンプ
９  加圧ポンプ
１０  採取口
１１、１２  フィルタ
１３  脱ガスチャンバ
１４  接続ポート
１５  フィルタ
１６  補液ポンプ
１７  液面調整手段
１７ａ  液面調整ポンプ
１８  制御手段
１９  排液手段
Ｌ１  透析液導入ライン
Ｌ２  透析液排出ライン
Ｌ３、Ｌ４、Ｌ５  迂回ライン
Ｌ６  分岐ライン
Ｌ７、Ｌ８、Ｌ９  バイパスライン
Ｌａ  プライミング液供給ライン
Ｌｂ  オーバーフローライン（プライミング液流通ライン）
Ｌｃ  補液ライン
Ｌｄ  プライミング液供給ライン（プライミング液流通ライン）
Ｖｄ  オーバーフロークランプ
【図１】
0006266695.tif 000002
【図２】
0006266695.tif 000003
【図３】
0006266695.tif 000004
【図４】
0006266695.tif 000005
【図５】
0006266695.tif 000006
【図６】
0006266695.tif 000007
【図７】
0006266695.tif 000008
【図８】
0006266695.tif 000009
【図９】
0006266695.tif 000010
【図１０】
0006266695.tif 000011
【図１１】
0006266695.tif 000012
【図１２】
0006266695.tif 000013
【図１３】
0006266695.tif 000014
【図１４】
0006266695.tif 000015